(57)【要約】【課題】            傘脱水機では、傘受器内部へ送気された空気を傘受器から逃がすための開口部が傘受器上方の傘挿入口に設けられ、送気のほとんどは傘挿入口より排気されることとなる。このため、排気が使用者の手や顔などに吹きかかり不快感を感じることとなったり、傘受器外部へ飛散して、装置外部を濡らすこととなる。また、飛散防止のための吸水布は、一般に使用回数が増加するにつれて吸水性が悪くなる傾向にあるため、使用回数が多ければ吸水布は飽和状態となって吸水できず、排気とともに傘受器外部へ飛散することとなる。【解決手段】        箱体と、箱体上面に設けられ傘を挿入するための傘挿入口と、箱体内部に設けられた傘挿入口から挿入された傘の石突から露先に向かって高圧空気を噴出するノズルとを有する除水室と、除水室内に設けられた水を受けるタンクとを備える。【選択図】          図１
2005337624.tif 000002
【特許請求の範囲】
【請求項１】
箱体と、
前記箱体上面に設けられ傘を挿入するための傘挿入口と、前記箱体内部に設けられた前記傘挿入口から挿入された傘の石突から露先に向かって高圧空気を噴出するノズルとを有する除水室と、
前記除水室内に設けられた水を受けるタンクとを備える傘除水機。
【請求項２】
除水室は、傘挿入口とは異なる位置に排出口を備えている請求項１記載の傘除水機。
【請求項３】
除水室は、傘挿入口から内部に向かって開口径が大きくなる略円錐状で、小径が設けられている上部ガイドを備えている請求項１記載の傘除水機。
【請求項４】
箱体上面には、傘挿入口と連結口を介して連結され、前記傘挿入口の開口径よりも小さく形成された傘収納口を備える請求項１記載の傘除水機。
【請求項５】
箱体上面に設けられた傘挿入口は、放射状のスリットを設けた弾性体を備える請求項１記載の傘除水機。
【発明の詳細な説明】
【技術分野】
【０００１】
この発明は傘に付着した水分を除くための傘除水機に関するものである。
【背景技術】
【０００２】
従来の傘脱水機の例としては、以下のような特許文献がある。
【０００３】
【特許文献１】特開平０６−０４２８６５号公報（図３）
【０００４】
この傘脱水機は、傘受器本体の内側周面と間隙を隔てて多孔性曲板が設けられ、この多孔性曲板の内周面には吸水性に優れた吸水性シートが添設されている。この装置に傘を差し込むと、送風機が駆動し、傘受器下部より送風された送気が傘受器の内側と傘布との間を経て傘受器の上方へ吹き出す。そして、この送気により傘布がはためくことで傘布の付着水分が脱落され、さらに、タイマーの作用で送風機が停止するとともにシロッコファンが駆動することで傘受器の内部が負圧となり傘布が吸水シートの表面に密接され、傘布に残存されている水分が吸水シートに吸水され、傘布の付着水分が脱水される。この水分吹き飛ばし動作と吸水動作を数秒間隔で２〜３回繰返し動作させることで、傘布からの水分を脱水させるものである。そして、傘受器の上側開口縁には、送風機からの送気により、下方から上方へ吹き上げられる水分を、傘受器外部へ飛散して人体又は装置外部を濡らすことを防止するための受け板が取付けられている。さらにこの受け板内側には吸水布が貼着されている。これにより人体又は装置外部を飛散水で汚染しないようにするものである。
【発明の開示】
【発明が解決しようとする課題】
【０００５】
しかし、この傘脱水機では、送風機により傘受器内部へ送気された空気を傘受器から逃がすための開口部は、傘受器上方の傘挿入口及び下方のエアダクトに設けられている。送気は傘受器下方より上方へ向かうため、送気のほとんどは傘挿入口より排気されることとなる。このため、排気が使用者の手や顔などに吹きかかり不快感を感じることとなる。
【０００６】
また、傘受器下方からの送気による傘布のはためきを利用し、傘布に付着の水分の除去を行っているが、傘布のはためき力やはためき方向により、傘布に付着の水分の飛散方向は受け板方向だけでなく、手元方向にもなりうる。この場合、手元方向へ飛散した水分は傘受器外部へ飛散して、人体又は装置外部を濡らすこととなる。
【０００７】
また、傘受器外部へ飛散することを防止する受け板に貼着された吸水布は、一般に使用回数が増加するにつれて吸水性が悪くなる傾向にあるため、使用回数が多ければ吸水布は飽和状態となって吸水できず、排気とともに傘受器外部へ飛散することとなり、受け板の効果が得られなくなる。
【０００８】
本発明は、上述のような課題を解決するためになされたものであり、傘の石突から手元へ向けてノズルから噴出された空気により傘に付着した水分を除水させる傘除水機であって、ノズルから噴出された空気や傘布から除去された水滴を機体外部へ排出させない傘除水機を得ることを目的とする。
【課題を解決するための手段】
【０００９】
箱体と、箱体上面に設けられ傘を挿入するための傘挿入口と、箱体内部に設けられた傘挿入口から挿入された傘の石突から露先に向かって高圧空気を噴出するノズルとを有する除水室と、除水室下方に設けられた水を受けるタンクとを備える。
【発明の効果】
【００１０】
この発明によれば、ノズルから噴出した空気及び傘布より除去された水滴が傘除水機の傘挿入口から飛散することを低減でき、使用者の手や顔に吹きかかることを防止することが可能となる。
【発明を実施するための最良の形態】
【００１１】
実施の形態１．
図１は傘除水機の断面図である。傘除水機１は、その外郭を形成する箱体２と、傘３を出し入れするために箱体２の上面に設けられた傘挿入口４と、挿入された傘を収納するための除水室５と、除水室５の下方に設けられた送気室６とを有する。
【００１２】
この送気室６は、その略中央部に高圧空気流を発生させる空気流発生装置７と、この空気流発生装置７と連通し箱体２の下面に隣接する位置に設けられた吸気ダクト８と、この吸気ダクト８の内周面に設けられ空気流発生装置７からの騒音及び吸気流による騒音の低減を図るために貼り付けられた吸音材９と、吸気ダクト８に吸気口１０から異物が侵入するのを防止するために設けられたエアフィルタ１１とを有する。
【００１３】
また、送気室６の上方には除水室５内に突出するようにノズル１２が配され、空気流発生装置７により送風された空気は、ノズル１２の先端部に設けられた噴出口１３から除水室５に噴出される。
【００１４】
次に、このように構成された傘除水機１の動作について説明する。傘除水機１の傘挿入口４から、雨や雪が付着した傘３を除水室５の奥まで挿入すると、スイッチ（図示せず）が入って、空気流発生装置７が作動する。これにより、エアフィルタ１１が設けられた吸気口１０より空気が流入し、吸気ダクト８を通って空気流発生装置７に送られ高圧化される。
【００１５】
そして、空気流発生装置７で高圧化された空気（高圧空気）は、送気室６を通って、傘３の中心線上に位置する石突１４に近い位置に設けられたノズル１２によって高圧空気から高速空気へと変換され、噴出口１３から傘３の石突１４から露先１５へ向けて噴出されることで、傘布１６に付着した水分の除去に供される。
【００１６】
これら一連の動作の中で、傘３が除水室５に挿入され空気流発生装置７が作動するまでの間は、傘３に付着したの水滴等は滴下する。この滴下した水滴は除水室５の下方に配置されたタンク１７に回収される。
【００１７】
そして、空気流発生装置７が作動すると、ノズル１２から噴出された高速空気は除水室５の上方へ移動し、除水室５上方に位置した排出ダクト１８を介して排出口１９より排出される。なお、排出ダクト１８がなく、除水室５に排出口１９が直結していても問題ない。
【００１８】
一方、傘布１６から除去された水滴は除水室５の上方へ移動し、排出ダクト１８を介して、タンク１７へ回収される。
【００１９】
また、傘挿入口４の直下に配された露先ガイド２０は、傘３の除水時は露先１５の所定位置を露先ガイド２０内に位置するような構造としている。ノズル１２から高速空気流を噴出することで噴出口１３から下流にかけての噴流付近では負圧となり、傘布１６は噴流側すなわちノズル１２側へ引かれる傾向にあり、このため傘布１６が取付けられている親骨２１もノズル１２側へ引かれることとなる。露先ガイド２０がなければ、親骨２１が除水室５の壁２２まで倒れ、傘布１６が壁２２に付着し十分に除水できない恐れがあるだけでなく、親骨２１が曲げ破損する可能性もある。
【００２０】
このように水滴を回収するタンクは、図２に示すように、排出口１９の下部に設けたタンク２３のようにすることも可能である。このようにすると、タンク２３内の清掃等のメンテナンスが容易となる。
【００２１】
実施の形態２．
図３は傘除水機の縦断面図である。本実施の形態では、実施の形態１と同等の構成については説明を省略する。
【００２２】
この傘除水機２５は、実施の形態１（図１）のものと比べて、露先ガイド２０の下方に上部ガイド２４が設けられている点で異なる。すなわち、傘除水機１では、露先１５が露先ガイド２０内に収まった状態で除水するものであったが、一般的な傘には、様々な長さのものが存在する。この上部ガイド２４は、露先１５が露先ガイド２０よりも除水室５側に入ってしまった傘２６を傘挿入口４から取出す際に、露先１５が除水室５に引掛り、取出しにくくなることを防止するために、傘挿入口４から除水室５の内部に向かって開口径が大きくなる略円錐状で傘を取り出しやすい形状となっている。
【００２３】
この上部ガイド２４は、０．３〜２ｍｍの略スリット又は略小径を多数有することで、空気は簡単に抜けて水滴はできるだけ付着するようになっている。この上部ガイド２４は、例えばパンチングメタルやエキスパンドメタルやメッシュフィルターのようなもので形成されている。
【００２４】
ノズル１２より排出された高速空気は上部ガイド２４に設けた開口部を介して、上部ガイド２４の開口部より下流側に位置する排出ダクト１８を介して排出口１９より排出される。なお、実施の形態１と同様に、排出ダクト１８がなく、除水室５に排出口１９が直結していても問題ない。
【００２５】
また、傘布１６から除去された水滴は除水室５の上方へ移動し、一部は上部ガイド２４の開口部を介して除水室５上方に位置した排出ダクト１８を通り、再度除水室５へ回収される。
【００２６】
また、図２と同様に排出口１９の下部にタンクを設けて回収しても問題ない。
【００２７】
また、上部ガイド２４に設けられた開口部を通過しなかった水滴は、上部ガイド２４の下部に付着し除水室５の壁２２を伝って除水室５の下方に設けられたタンク１７に回収される。
【００２８】
実施の形態３．
図４は、傘除水機の斜視図である。本実施の形態では、実施の形態１と同等の構成については説明を省略する。
【００２９】
この傘除水機２７は、傘挿入口４へ傘３を挿入し、傘挿入口４と連結口２８を介して連結した傘収納口２９へ傘３を移動すると、空気流発生装置７が運転を始める。運転完了後、傘３を傘収納口２９から傘挿入口４へ移動し、露先１５の引掛りを解消した上部ガイド２４が設けられた傘挿入口４より傘３を取出す。
【００３０】
傘収納口２９の開口径は、傘挿入口４よりも小さく、傘３の中棒３０よりも一回り大きくなっている。
【００３１】
この傘除水機２７の場合、ノズル１２から噴出される空気の方向（噴出軸）は傘挿入口４及び連結口２８から外れた位置に配置されている。さらに、ノズル１２から噴出された高速空気は、傘収納口２９が傘挿入口４よりも開口径が小さいため、傘収納口２９より箱体２の外側へ排出されにくい構造となっている。また、ノズル１２の噴出軸が傘収納口２９及び連結口２８にはないため、傘収納口２９及び連結口２８から排出されることなく、除水室５上方に位置した排出ダクト１８を介して排出口１９より排出されやすい。また、実施の形態１と同様に、排出ダクト１８がなく、除水室５に排出口１９が直結していても問題ない。
【００３２】
また、傘布１６から除去された水滴においても同様に、傘収納口２９及び傘挿入口４及び連結口２８より箱体２の外側に飛沫することなく、除水室５上方に位置した排出ダクト１８を介して、再度除水室５へ回収される。
【００３３】
実施の形態１に示すように、排出された水滴を除水室５へ回収せずに、排出口１９の下部に設けた水滴のタンク２３に回収しても問題ない。
【００３４】
実施の形態４．
図５は傘除水機の斜視図である。本実施の形態では、実施の形態１と同等の構成については説明を省略する。
【００３５】
この傘除水機３１は、傘挿入口４に、ゴム製のフタ３２が形成され、その中心から放射線状にスリットが設けられており、これにより、スリットで切欠かれた部分が上下に動くことで、傘３の挿入時及び取出し時には、開口径が大きくなる。また、力を加えれば、中棒３０を中心として傘３を回転させることも可能である。
【００３６】
また、傘３を除水中には、傘３と傘挿入口４との隙間が少なくなり、水滴が除水室５上方に位置した排出ダクト１８を介して排出口１９より排出されやすくなる。この場合でも、実施の形態１と同様に、排出ダクト１８がなく、除水室５に排出口１９が直結していても問題ない。
【００３７】
また、傘布１６から除去された水滴は除水室５の上方へ移動し、除水室５上方に位置した排出ダクト１８を通り、再度除水室５へ回収される。
【００３８】
実施の形態１に示すように、排出された水滴を除水室５へ回収せずに、排出口１９の下部に設けた水滴のタンク２３に回収しても問題ない。
【００３９】
フタ３２はゴム以外にもエラストマーや軟質ＰＶＣなどの弾性を有する材質で形成されている限り、同様の効果が得られる。
【００４０】
また、図６に概念的に示すように傘挿入口４に設けたゴム製のフタ３２に加え、その下方にもゴム製のフタ３２を装備すれば、一層、傘３と傘挿入口４との隙間を小さくすることが可能となる。
【００４１】
さらに、複数のゴム状のフタ３２同士、スリット位置をずらして配備しても、スリット数が異なっていても、互いに離れて配備していても、接触して配備していても、傘３と傘挿入口４との隙間を小さくすることが可能となるため、同様の効果が得られる。
【００４２】
実施の形態５．
図７は傘除水機の斜視図である。本実施の形態では、実施の形態１と同等の構成については説明を省略する。
【００４３】
この傘除水機３３は、傘挿入口４に傘３を挿入時及び取出し時に可動する可動フタ３４が設けられている。この可動フタ３４の中央には、傘３の中棒３０よりも一回り程度大きくした中棒収納用穴３５が開口されている。これにより、除水時に傘３を収納する際に中棒収納用穴３５と傘３との隙間を小さくすることが可能となるだけでなく、除水室５へ傘３をスムーズに挿入・取出しできるように、傘３の挿入時又は取出し時に、可動フタ３４が同期して上又は下に可動する構造となっている。
【００４４】
中棒収納用穴３５と傘３との隙間が小さくなることで、ノズル１２から噴出された空気は中棒収納用穴３５を通って箱体２の外部へ排出されることなく、除水室５上方に位置した排出ダクト１８を介して排出口１９より排出される。また、実施の形態１と同様に、排出ダクト１８がなく、除水室５に排出口１９が直結していても問題ない。
【００４５】
また、傘布１６から除去された水滴においても同様に、中棒収納用穴３５を通って箱体２の外部へ排出されることなく、除水室５上方に位置した排出ダクト１８を介して、再度除水室５へ回収される。
【００４６】
実施の形態１に示すように、排出された水滴を除水室５へ回収せずに、排出口１９の下方に設けた水滴のタンク２３に回収しても問題ない。
【００４７】
中棒収納用穴３５の開口径が傘３を挿入するのに問題ない程度の大きさである場合は、可動フタ３４が上部のみに可動する構造であっても、挿入時には露先１５が引っかかることはないのであるから問題ない。
【産業上の利用可能性】
【００４８】
傘に付着した水分を除く装置として産業上の可能性が有る。
【図面の簡単な説明】
【００４９】
【図１】実施の形態１における傘除水機の断面図である。
【図２】実施の形態１における傘除水機の断面図である。
【図３】実施の形態２における傘除水機の断面図である。
【図４】実施の形態３における傘除水機の斜視図である。
【図５】実施の形態４における傘除水機の斜視図である。
【図６】実施の形態４における傘除水機の斜視図である。
【図７】実施の形態５における傘除水機の斜視図である。
【符号の説明】
【００５０】
１  傘除水機、  ２  箱体、  ３  傘、  ４  傘挿入口、  ５  除水室、  ６  送気室、  ７  空気流発生装置、  ８  吸気ダクト、  ９  吸音材、  １０  吸気口、  １１  エアフィルタ、  １２  ノズル、  １３  噴出口、  １４  石突、  １５  露先、  １６  傘布、  １７  タンク、  １８  排出ダクト、  １９  排出口、  ２０  露先ガイド、  ２１  親骨、  ２２  壁、  ２３  タンク、  ２４  上部ガイド、  ２５  傘除水機、  ２６  傘、  ２７  傘除水機、  ２８  連結口、  ２９  傘収納口、  ３０  中棒、  ３１  傘除水機、  ３２  フタ、  ３３  傘除水機、  ３４  可動フタ、  ３５  中棒収納用穴。
【図１】
2005337624.tif 000003
【図２】
2005337624.tif 000004
【図３】
2005337624.tif 000005
【図４】
2005337624.tif 000006
【図５】
2005337624.tif 000007
【図６】
2005337624.tif 000008
【図７】
2005337624.tif 000009